(57)【特許請求の範囲】
【請求項１】
電源のＯＮ／ＯＦＦ切換えと充電の２つのモードに夫々対応したスイッチ(４)(５)を作動させる手動の操作釦(２)を具え、
スイッチ(４)(５)は、単一の操作釦(２)の移行路両端に夫々配備され、操作釦(２)はスイッチ(４)(５)を押圧する摺動子(３)に連繋し、両スイッチ(４)(５)の中間位置から一方のスイッチに向かう操作釦(２)の移行路上には、凸部(80)が設けられ、
摺動子(３)は、凸部(80)に接してクリック感を付与する突起(８)と、中間位置から、凸部(80)側に位置するスイッチと反対側のスイッチに向かう操作釦(２)を中間位置に向けて付勢するバネ片(30)とを一体に具えたことを特徴とする電子機器。
【請求項２】
スイッチ(４)(５)は、押圧操作されるアンビル(６)(60)を有し、摺動子(３)は、凸部(80)を越えて一方のスイッチ(５)のアンビル(60)を押し込んだ状態で、アンビル(60)の復帰力に抗して、アンビル(60)を押し続ける請求項１に記載の電子機器。
【発明の詳細な説明】
【０００１】
【発明の属する技術分野】
本発明は、電源のＯＮ／ＯＦＦ切換えスイッチと充電用スイッチを有し、両スイッチの作動を切り換える操作釦を具えた電子機器に関するものである。
【０００２】
【従来の技術】
斯種電源ＯＮ／ＯＦＦ切換えスイッチと充電用スイッチを有する電子機器に於いては、図７に示すものがある。これは、携帯用のディスク再生装置であり、装置本体（１）の上面には、蓋体（９５）が開閉自在に枢支され、装置本体（１）の前面には手動で押圧操作される２つの操作釦（２）（２ａ）が設けられている。一方の操作釦（２ａ）は充電用であり、該操作釦（２ａ）の内側には充電モードへの移行時に操作される押圧式のスイッチ（５）が設けられている。他方の操作釦（２）は電源のＯＮ、ＯＦＦを切り換えるものであり、該操作釦（２）の内側には、操作釦（２）により押圧操作されるスイッチ（４）が設けられている。
【０００３】
【発明が解決しようとする課題】
図７に示す装置では、電源切換え用の操作釦（２ａ）と充電用の操作釦（２）とは、別々の箇所に配置しているから、両操作釦（２）（２ａ）を配置する為のスペースが必要となり、他の操作釦を配置する箇所が制約される。
また、両操作釦（２）（２ａ）が押圧式の操作釦であるから、操作時の指の感触が似ている。従って、両操作釦（２）（２ａ）を暗闇で、或いは手触りで操作する時は、何れの釦が操作すべき釦かが判らない。
本発明は、電源切換え操作と充電操作とを１つの操作釦で行ない、かつ操作釦が見えない状況でも、操作モードを間違えることがない電子機器を提供することを目的とする。
【０００４】
【課題を解決する為の手段】
電源のＯＮ／ＯＦＦ切換えと充電の２つのモードに夫々対応したスイッチ(４)(５)を作動させる手動の操作釦(２)を具え、
スイッチ(４)(５)は、単一の操作釦(２)の移行路両端に夫々配備され、操作釦(２)はスイッチ(４)(５)を押圧する摺動子(３)に連繋し、両スイッチ(４)(５)の中間位置から一方のスイッチに向かう操作釦(２)の移行路上には、凸部(80)が設けられ、
摺動子(３)は、凸部(80)に接してクリック感を付与する突起(８)と、中間位置から、凸部(80)側に位置するスイッチと反対側のスイッチに向かう操作釦(２)を中間位置に向けて付勢するバネ片(30)とを一体に具えている。
【０００５】
【作用及び効果】
本発明に於いては、電源のＯＮ／ＯＦＦ切換えと、充電モードへの移行が１つの操作釦（２）で行なえるから、従来の装置に比して、他の操作釦を配置するスペースに余裕ができる。
また、操作釦（２）を一方のスイッチに向けて手動で摺動すれば、バネ部材による付勢力が使用者の指先に伝わり、他方のスイッチに向けて摺動すれば、凸部（８０）によるクリック感が指先に伝わる。即ち、操作釦の操作方向によって、指先に伝わる感触が異なるから、操作釦が見えない状況でも、操作モードを間違えることがない。
【０００６】
【発明の実施の形態】
以下、本発明の一例を図を用いて詳述する。従来と同一の構成については、同一符号を用いる。
図１は、電子機器を示す斜視図である。これは、ビューファインダ（９７）を具えたビデオカメラに関するものであり、装置本体（１）の後面上には、斜め上下に延びた凹溝（１０）が形成され、該凹溝（１０）に操作釦（２）が摺動自在に嵌められている。操作釦（２）が上方向にスライドすれば、装置本体（１）の電源がＯＮになり、下方向にスライドすれば、電源がＯＦＦとなって、装置本体（１）の充電モードに設定される。
装置本体（１）の左側面には、蓋体（９５）が枢支され、該蓋体（９５）内にバッテリ（図示せず）が収納される。蓋体（９５）の近傍には、充電時にＡＣアダプタが差し込まれる充電端子（９６）が設けられている。
【０００７】
図２は、図１の操作釦（２）の近傍を一部破断した分解斜視図、図３は本例の特徴部分を組立てる状態を装置本体（１）を横にして示した分解斜視図、図５は図２をＡ方向から見た断面図である。本例では、操作釦（２）が装置本体（１）の裏側に配置した摺動子（３）に連繋し、該摺動子（３）の移行路両端に電源のＯＮ、ＯＦＦ切換え及び充電モードに対応したスイッチ（４）（５）が配置している。
凹溝（１０）の底面には、凹溝（１０）に沿って延びた貫通孔（１１）が開設され、該貫通孔（１１）に操作釦（２）から突出した係止爪（２０）が挿入され、装置本体（１）の内部に延びている。装置本体（１）の後面裏側からは、装置本体（１）の後面に平行な載置板（１３）が突出し、該載置板（１３）に、中央部に開口（３３）を有する摺動子（３）が摺動自在に載置される。操作釦（２）の係止爪（２０）が貫通孔（１１）を通って、開口（３３）に引掛かっており、操作釦（２）と摺動子（３）は一体となって摺動する。操作釦（２）の裏面にて、係止爪（２０）の両側からは位置決め軸（２１）（２１）が突出し、該位置決め軸（２１）（２１）は摺動子（３）上面にて、開口（３３）の上下に設けられた孔（３４）（３４）に嵌まり、操作釦（２）と摺動子（３）の相対位置が決定される。
【０００８】
摺動子（３）は、摺動方向の両端部から腕片（３１）（３２）を突出し、装置本体（１）の摺動子（３）より奥部には、摺動子（３）に対向して回路基板（７）が配置している。該回路基板（７）は、装置本体（１）の側壁（１２）から内向きに突出した嵌合板（１４）に嵌まって、装置本体（１）内に固定されている。
該回路基板（７）上で、摺動子（３）の移行路両端には、夫々電源のＯＮ、ＯＦＦ切換え及び充電モードに対応したスイッチ（４）（５）が設けられている。両スイッチ（４）（５）は夫々腕片（３１）（３２）により押し込まれるアンビル（６）（６０）を具えている。上側のスイッチ（４）はアンビル（６）が押し込まれるたびにＯＮとなり、押し込み状態が解除されると、アンビル（６）が復帰する。
回路基板（７）上には、上側のスイッチ（４）に接続し、装置本体（１）に給電する電源供給回路（９）が設けられている。該電源供給回路（９）は、スイッチ（４）のアンビル（６）が押し込まれるたびに、出力のＯＮ、ＯＦＦが切り換わる周知の構成である。また、後記するように、電源供給回路（９）は下側のスイッチ（５）にも接続している。
【０００９】
摺動子（３）は合成樹脂の射出成形により形成され、一方の腕片（３２）上に、装置本体（１）の後面に対向する突起（８）を設けている。装置本体（１）の後面裏側には、突起（８）に係合する凸部（８０）が形成されている。他方の腕片（３１）の根元部近傍には、上向きに延びたバネ片（３０）が摺動子（３）に一体に形成され、該バネ片（３０）の先端は、装置本体（１）内部から突出したリブ壁（１５）に当接する。リブ壁（１５）と装置本体（１）の側壁（１２）との間には、三角形の補強片（１６）が設けられ、該補強片（１６）上にバネ片（３０）が載置されることで、バネ片（３０）の奥向きの振れが規制される。
【００１０】
充電時には、図４（ａ）に実線で示す中間位置から、操作釦（２）及び摺動子（３）を手動で下側にスライドさせる。摺動子（３）のスライドにより、突起（８）と凸部（８０）が接し（図６（ｂ）参照）、使用者の指先にクリック感を与える。突起（８）を具えた腕片（３２）が弾性変形し、図６（ａ）に一点鎖線で示すように、突起（８）が凸部（８０）を乗り越えると、腕片（３２）がスイッチ（５）のアンビル（６０）を押し込むとともに、腕片（３２）が弾性復帰して、突起（８）と凸部（８０）が係合する。従って、腕片（３２）はアンビル（６０）を押し込んだ状態を保持する。この状態で、充電端子（９６）に接続されたＡＣアダプタにより、装置本体（１）が充電される。
充電を解除するには、手動で操作釦（２）を押し上げ、突起（８）と凸部（８０）の係合を外して、操作釦（２）を中間位置に復帰させる。アンビル（６０）が戻され、充電が停止する。
【００１１】
電源をＯＮにするには、図４（ｂ）に示すように、操作釦（２）及び摺動子（３）を手動で上側にスライドさせる。摺動子（３）はバネ片（３０）の弾性力に抗して摺動し、使用者の指先には、該弾性力による抵抗感が伝わる。摺動子（３）の腕片（３１）がスイッチ（４）のアンビル（６）を押し込むと、使用者は操作釦（２）から手を離す。
摺動子（３）はバネ片（３０）の復帰力により操作釦（２）とともに、中間位置に戻される。前記の如く、スイッチ（４）のアンビル（６）が一旦押し込まれると、電源供給回路（９）はＯＮとなり、操作釦（２）を中間位置に戻しても、電源はＯＮを持続する。
再び操作釦（２）を上側にスライドさせ、スイッチ（４）のアンビル（６）を押し込むと、電源供給回路（９）はＯＦＦとなる。
【００１２】
装置本体（１）の電源がＯＮのまま、操作釦（２）を下側のスイッチ（５）に向けてスライドさせると、下側のスイッチ（５）がＯＮになったことを受けて、電源供給回路（９）は、電源をＯＦＦにする。この状態で、充電が安全に行なえる。
【００１３】
本例に係わる電子機器に於いては、電源のＯＮ／ＯＦＦ切換えと、充電モードへの移行が１つの操作釦（２）で行なえるから、従来の装置に比して、他の操作釦を配置するスペースに余裕ができる。
また、操作釦（２）を上側のスイッチ（４）に向けて手動で摺動すれば、バネ片（３０）による付勢力が使用者の指先に伝わり、下側のスイッチ（５）に向けて摺動すれば、凸部（８０）と摺動子（３）との接触による摩擦付勢力によるクリック感が指先に伝わる。即ち、操作釦の操作方向によって、指先に伝わる感触が異なるから、操作釦が見えない状況でも、操作モードを間違えることがない。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば、上記例では、摺動子（３）がバネ片（３０）を一体に具えているとしたが、該バネ片（３０）を圧縮バネ（図示せず）に変えてもよい。
【図面の簡単な説明】
【図１】装置本体の斜視図である。
【図２】装置本体の操作釦近傍を一部破断した分解斜視図である。
【図３】操作釦と摺動子を組立てる状態を装置本体を横にして示した分解斜視図である。
【図４】（ａ）は摺動子の中間位置を示す図、（ｂ）は摺動子が電源ＯＮ／ＯＦＦ切換えスイッチを押し込んだ状態を示す図である。
【図５】図２をＡ方向から見た断面図である。
【図６】（ａ）は、図４（ａ）をＣ方向から見た断面図、（ｂ）は同上のＢ方向から見た断面図である。
【図７】従来の電子機器を示す斜視図である。
【符号の説明】
（１）  装置本体
（２）  操作釦
（３）  摺動子
（４）  スイッチ
（５）  スイッチ
（６）  アンビル
（６０）  アンビル
（８０）  凸部
【図１】
0003594402.tif 000002
【図２】
0003594402.tif 000003
【図３】
0003594402.tif 000004
【図４】
0003594402.tif 000005
【図５】
0003594402.tif 000006
【図６】
0003594402.tif 000007
【図７】
0003594402.tif 000008